(57)【特許請求の範囲】
【請求項１】
ヘッドフォンであって、
第一層構造、第一容置空間、第一音響経路、第一溝および音響出力側を有するハウジングおよび、
前記第一容置空間中に位置し、第一スピーカー表面を有し、前記第一スピーカー表面が前記第一音響経路に対応するアンプ、を有し、
前記第一音響経路は、前記第一溝を有し、前記第一層構造に位置し、前記第一スピーカーの周りに広がり、且つ、前記アンプは出音側に接続されることを特徴とするヘッドフォン。
【請求項２】
前記ハウジングは、更に、第二音響経路を有し、且つ、前記アンプは、更に、第二アンプ表面を有し、前記第二アンプ表面は前記第二音響経路に対応することを特徴とする請求項１に記載のヘッドフォン。
【請求項３】
前記第一スピーカー表面と前記第二アンプ表面は、傾斜角度が正負１０度で隣り合って設置されることを特徴とする請求項２に記載のヘッドフォン。
【請求項４】
前記第一スピーカー表面、および、前記第二アンプ表面は、同じ、または、異なる周波数の音声を発することを特徴とする請求項２に記載のヘッドフォン。
【請求項５】
前記第一音響経路の長さは、前記第二音響経路の長さより長いことを特徴とする請求項２に記載のヘッドフォン。
【請求項６】
クロスフィード音響経路が、第二層構造、および、外蓋構造間で延伸すると共に、前記第二層構造、および、前記第一層構造から前記音響出力側まで貫通することを特徴とする請求項２に記載のヘッドフォン。
【請求項７】
前記ハウジングは、更に、外蓋構造を有し、
前記第二層構造は、開口部、凸出部、および、第一通孔を有し、前記開口部はクロスフィードスピーカーに対応し、前記外蓋構造は、第二溝を有し、前記第二溝は、前記開口部、前記凸出部、および、前記第一通孔に対応し、前記クロスフィード音響経路は、前記開口部、前記第二溝、および、前記第一通孔に沿って延伸し、前記第二層構造を離れることを特徴とする請求項６に記載のヘッドフォン。
【請求項８】
更に、クロスフィードスピーカー表面を有し、前記クロスフィードスピーカー表面は、クロスフィード音響経路に対応するクロスフィードスピーカーを有し、前記ハウジングは、更に、第二容置空間を有し、前記クロスフィードスピーカーは、前記第二容置空間中に位置することを特徴とする請求項２に記載のヘッドフォン。
【請求項９】
前記ハウジングは、更に、外蓋構造、および、第二層構造を有し、前記第二層構造は、前記第一層構造と前記外蓋構造間に設置され、前記第一層構造は、前記第二層構造と前記音響出力側の間に設置され、前記第一容置空間、および、前記第二容置空間は前記第二層構造に設置され、前記アンプ、および、前記クロスフィードスピーカーは、前記第一層構造に設置され、前記クロスフィード音響経路は、前記第二層構造、および、前記外蓋構造間で延伸すると共に、前記第二層構造、および、前記第一層構造から前記音響出力側まで貫通し、前記第二層構造は、開口部、凸出部、および、第一通孔を有し、前記開口部は前記クロスフィードスピーカーに対応し、前記外蓋構造は、第二溝を有し、前記第二溝は、前記開口部、前記凸出部、および、前記第一通孔に対応し、前記クロスフィード音響経路は、前記開口部、前記第二溝、および、前記第一通孔に沿って延伸し、前記第二層構造を離れ、前記第一層構造は第二通孔を有し、前記第二通孔は前記第一通孔に対応し、前記クロスフィード音響経路は、前記第一通孔、および、前記第二通孔に沿って、前記第二層構造から前記第一層構造を経て音響出力側まで延伸することを特徴とする請求項８に記載のヘッドフォン。
【請求項１０】
前記第二音響経路は前記第一層構造で延伸すると共に、前記第一層構造から前記音響出力側まで貫通し、前記第一層構造は第三通孔を有し、前記第三通孔は前記第一溝に接続され、第一音響経路は、前記第一溝、および、前記第三通孔に沿って延伸し、前記第一層構造を離れ、前記第一溝は櫛状部を有し、前記櫛状部、前記第二通孔、および、前記第三通孔は、前記アンプの周りに設置され、前記アンプは、前記第二通孔、および、前記第三通孔間に設置され、前記第二層構造は、さらに複数の通気孔を有し、前記通気孔は、前記アンプに対応することを特徴とする請求項９に記載のヘッドフォン。
【発明の詳細な説明】
【技術分野】
【０００１】
本発明は、ヘッドフォンに関するものであって、特に、マルチチャネルヘッドフォンに関するものである。
【背景技術】
【０００２】
従来のマルチチャネルヘッドフォンは、外蓋、サブウーファーアンプ、複数の単一チャネルケースおよび複数の単一チャネルアンプを有する。単一チャネルケースは外蓋中に設置され、サブウーファーアンプも外蓋中に設置される。外蓋は共鳴用ケースとして用いられる。単一チャネルアンプはそれぞれ、単一チャネルケースに設置される。マルチチャネルヘッドフォンは、少なくとも四個のチャネルおよび二個のサブウーファチャネルの音声出力を提供する。
【０００３】
しかし、従来のマルチチャネルヘッドフォンは、単調な音源を出力するだけである。また、従来のマルチチャネルヘッドフォンのアンプは、同一平面上に位置し、多様な音環境および音場の立体感を実現することができない。
【発明の概要】
【発明が解決しようとする課題】
【０００４】
本発明は、マルチチャネルヘッドフォンを提供する。
【課題を解決するための手段】
【０００５】
一実施態様において、ヘッドフォンが提供される。ヘッドフォンは、ハウジング、および、アンプを有する。ハウジングは、第一層構造、第一容置空間、第一音響経路、第一溝、および、音響出力側を有する。アンプは第一容置空間中に位置し、アンプは第一アンプ表面を有し、第一アンプ表面は第一音響経路に対応する。第一音響経路は、第一溝を有し、第一層構造に位置し、第一アンプの周りに広がり、且つ、アンプは出音側に接続される。
【０００６】
一実施態様において、ハウジングは、さらに、第二音響経路を有し、アンプは、さらに、第二アンプ表面を有し、第二アンプ表面は第二音響経路に対応する。
【０００７】
一実施態様において、第一アンプ表面と第二アンプ表面は、傾斜角度が正負１０度で隣り合って設置される。
【０００８】
一実施態様において、第一アンプ表面、および、前記第二アンプ表面は、同じ、または、異なる周波数の音声を発する。
【０００９】
一実施態様において、第一音響経路の長さは、第二音響経路の長さより長い。
【００１０】
一実施態様において、クロスフィード音響経路は、第二層構造、および、外蓋構造間で延伸すると共に、第二層構造、および、第一層構造から音響出力側まで貫通する。
【００１１】
一実施態様において、第二層構造は、開口部、凸出部、および、第一通孔を有し、開口部は前記クロスフィードアンプに対応し、外蓋構造は、第二溝を有し、第二溝は、開口部、凸出部、および、第一通孔に対応し、クロスフィード音響経路は、開口部、第二溝、および、第一通孔に沿って延伸し、第二層構造を離れる。
【００１２】
一実施態様において、ヘッドフォンは、更に、クロスフィードアンプ表面を有し、クロスフィードアンプ表面は、クロスフィード音響経路に対応するクロスフィードアンプを有し、ハウジングは、更に、第二容置空間を有し、クロスフィードアンプは、前記第二容置空間中に位置する。
【００１３】
一実施態様において、ハウジングは、更に、外蓋構造、および、第二層構造を有し、第二層構造は、第一層構造と前記外蓋構造間に設置され、第一層構造は、第二層構造と音響出力側の間に設置され、第一容置空間、および、第二容置空間は第二層構造に設置され、アンプ、および、クロスフィードアンプは、第一層構造に設置される。
【００１４】
一実施態様において、第二層構造は、開口部、凸出部、および、第一通孔を有する。クロスフィード音響経路は、第二層構造、および、外蓋構造間で延伸すると共に、第二層構造、および、第一層構造から音響出力側まで貫通する。開口部はクロスフィードアンプに対応する。外蓋構造は第二溝を有し、第二溝は、開口部、凸出部、および、第一通孔に対応する。クロスフィード音響経路は、開口部、第二溝、および、第一通孔に沿って延伸し、第二層構造を離れる。第一層構造は第二通孔を有する。第二通孔は第一通孔に対応する。クロスフィード音響経路は、第一通孔、および、第二通孔に沿って、第二層構造から第一層構造を経て音響出力側まで延伸する。
【００１５】
一実施態様において、クロスフィード音響経路は、第二層構造、および、外蓋構造間で延伸すると共に、第二層構造、および、第一層構造から前記音響出力側まで貫通する。
【００１６】
一実施態様において、第二層構造は、開口部、凸出部、および、第一通孔を有する。開口部は、クロスフィードアンプに対応する。外蓋構造は第二溝を有し、第二溝は、開口部、凸出部、および、第一通孔に対応する。クロスフィード音響経路は、開口部、第二溝、および、第一通孔に沿って延伸し、第二層構造を離れる。
【００１７】
一実施態様において、第一層構造は第二通孔を有する。第二通孔は第一通孔に対応する。クロスフィード音響経路は、第一通孔、および、第二通孔に沿って、第二層構造から第一層構造を経て音響出力側まで延伸する。
【００１８】
一実施態様において、第二音響経路は第一層構造で延伸すると共に、第一層構造から音響出力側まで貫通する。
【００１９】
一実施態様において、第一層構造は第三通孔を有する。第三通孔は第一溝に接続される。第一音響経路は、第一溝、および、第三通孔に沿って延伸し、第一層構造を離れる。
【００２０】
一実施態様において、第一溝は櫛状部を有する。
【００２１】
一実施態様において、アンプは、第二通孔、および、第三通孔間に設置される。
【００２２】
一実施態様において、第二層構造は、さらに、複数の通気孔を有する。通気孔は、アンプに対応する。
【００２３】
詳細な説明は、以下の実施態様とともに、図面を参照する。
【発明の効果】
【００２４】
本発明の実施態様によるクロスフィードアンプを有するヘッドフォンを用いることにより、ユーザーの左右の耳がどちらも、左右音響チャネルの音声を聞くことができる。凸出部の設計、および、第二溝、および、第三溝の経路長と形状の設計は、音声伝達の時間差を調整することができる。このほか、通気口、および、第一溝の設計により、周波数を調整することができる。
【図面の簡単な説明】
【００２５】
本発明の他の目的及び特徴については、以下の詳細な説明及び添付の図面を参照することによって、より深く理解することができるであろう。
【図１Ａ】本発明の実施態様によるヘッドフォンの組立図である。
【図１Ｂ】本発明の実施態様によるヘッドフォンの分解図である。
【図２Ａ】本発明の実施態様による第二溝構造の詳細な構造を示す図である。
【図２Ｂ】図１Ａの２Ｂ−２Ｂ’に沿った断面図である。
【図３Ａ】本発明の実施態様による低音域アンプ、および、低音域主要経路を示す図である。
【図３Ｂ】本発明の実施態様による高音域アンプ、および、高音域主要経路を示す図である。
【図３Ｃ】本発明の実施態様による低音域アンプ、高音域アンプ、および、クロスフィードアンプを示す図である。
【図４Ａ】本発明の実施態様による第一層構造の詳細な構造を示す図である。
【図４Ｂ】本発明の実施態様による第一層構造の詳細な構造を示す図である。
【図５Ａ】本発明の別の実施態様によるヘッドフォンを示す図である。
【図５Ｂ】本発明の別の実施態様によるヘッドフォンを示す図である。
【発明を実施するための形態】
【００２６】
以下の説明は、本発明を実現する最良モードである。この説明は、本発明の一般原則を説明する目的であり、これに限定されない。本発明の保護範囲は、特許請求の範囲で指定した内容を基準とする。
【００２７】
図１Ａ、および、図１Ｂは、本発明の実施態様によるヘッドフォン１を示す図である。ヘッドフォン１は、ハウジング１０、低音域アンプ(アンプ)２０、低音域補助経路(第一音響経路)、高音域アンプ３０、高音域補助経路、クロスフィードアンプ４０、および、クロスフィード音響経路を有する。ハウジング１０は音響出力側１９を有する。低音域アンプ２０は、低音を提供する。低音の少なくとも一部は、低音域アンプ２０から、低音域補助経路を通過するとともに、音響出力側１９により出力される。高音域アンプ３０は、高音を提供する。高音の少なくとも一部は、高音域アンプ３０から、高音域補助経路３１を通過するとともに、音響出力側１９により出力される。クロスフィードアンプ４０は、クロスフィード音を提供する。クロスフィード音は、クロスフィードアンプ４０から、クロスフィード音響経路を通過するとともに、音響出力側１９により出力される。
【００２８】
一実施態様において、ハウジング１０は、外蓋１３、第一層構造１１、および、第二層構造１２を有する。第二層構造１２は、第一層構造１１と外蓋構造１３との間に設置される。第一層構造１１は、第二層構造１２と音響出力側１９との間に設置される。低音域アンプ２０、高音域アンプ３０、および、クロスフィードアンプ４０は第一層構造上に設置される。低音域アンプ２０、高音域アンプ３０、および、クロスフィードアンプ４０は、磁力か割り込みにより固定される。
【００２９】
図２Ａは、第二層構造１２の詳細な構造を示す図で、クロスフィード音響経路４１は、第二層構造１２に延伸するとともに、第二層構造１２、および、第一層構造１１から音響出力側１９まで貫通する。第二層構造１２は、開口部１１１、凸出部１１２、および、第一通孔１１３を有する。開口部１１１は、クロスフィードアンプ４０に対応する。図２Ｂは、図１Ａの２Ｂ−２Ｂ’に沿った断面図で、外蓋構造１３は、開口部１１１、凸出部１１２、および、第一通孔１１３に対応する第二溝１３１を有する。クロスフィード音響経路４１は、開口部１１１、第二溝１３１、および、第一通孔１１３に沿って延伸し、第二層構造１２を離れる。第一層構造１１は、第一通孔１１３に対応する第二通孔１２１を有する。クロスフィード音響経路４１は、第一通孔１１３、および、第二通孔１２１に沿って、第二層構造１２から、第一層構造１１を通過して、音響出力側１９まで貫通する。
【００３０】
この実施態様において、第二溝１３１は、直線状の溝である。
【００３１】
図２Ａを参照すると、一実施態様において、第二層構造１２は、さらに、複数の排出口１１４を有し、排出口１１４は、低音域アンプ２０に対応する。
【００３２】
図３Ａと図３Ｂを参照すると、傾斜設置された低音域アンプ２０は、第一アンプ表面２０１と第二アンプ表面２０２を有する。第一アンプ表面２０１は、低音域補助経路(第一音響経路)に対応する。第二アンプ表面２０２は、低音域主要経路(第二音響経路)２２により、低音の少なくとも一部を音響出力側１９に出力する。一実施態様において、第一アンプ表面２０１は第二アンプ表面２０２に隣接して設置され、第一アンプ表面２０１、および、第二アンプ表面２０２は、傾斜角度が正負１０度で隣り合って設置される。第一アンプ表面２０１、および、第二アンプ表面２０２は、同じ、または、異なる周波数の音声を発出する。傾斜設置された高音域アンプ３０は、高音域主要経路３２により、高音の少なくとも一部を音響出力側１９に出力する。低音域アンプ２０の傾斜設計のため、低音域アンプ２０の低音の一部は、低音域補助経路２１から音響出力側１９まで到達する。高音域アンプ３０の傾斜設計のため、高音域アンプ３０の高音の一部は、高音域補助経路３１から音響出力側１９に達して、ステレオ音響を生成する。低音域補助経路２１の長さは、低音域主要経路２２よりもさらに長い。高音域補助経路３１の長さは、高音域主要経路３２よりもさらに長い。特に、一実施態様において、低音域補助経路２１の長さは、低音域主要経路２２の長さの２から１５倍で、高音域補助経路３１の長さは、高音域主要経路３２の長さの２から１７倍である。
【００３３】
図３Ｃは、低音域アンプ２０、高音域アンプ３０、および、クロスフィードアンプ４０を示す図である。第二層構造１２は、第一容置空間１１５、第三容置空間１１６、および、第二容置空間１１７を有する。第一容置空間１１５は、第一斜面１１８を有する。第三容置空間１１６は、第二斜面１１９を有する。低音域アンプ２０は、第一凹部１１５中に組み込まれ、且つ、第一斜面１１８と接触する。高音域アンプ３０は第二凹部１１６に組み込まれ、且つ、第二斜面１１９と接触する。クロスフィードアンプ４０は第三凹部１１７に組み込まれる。
【００３４】
図４Ａ、および、図４Ｂは、第一層構造１１の詳細な構造を示す図で、低音域補助経路２１は、第一層構造１１中に延伸するとともに、第一層構造１１から音響出力側１９まで貫通する。第一層構造１１は、第一溝１２２、および、第三通孔１２３を有する。第一溝１２２の少なくとも一部は、低音域アンプ２０の周りに広がり、且つ、第三通孔１２３と接続される。低音域補助経路２１は、第一溝１２２、および、第三通孔１２３に沿って延伸するとともに、第一層構造１１を離れる。
【００３５】
一実施態様において、第一溝１２２は櫛状部１２２Ａを有し、櫛状部１２２Ａは、音声伝達を遅延させる。
【００３６】
図４Ａおよび図４Ｂを参照すると、第一層構造１１は、第三溝１２４、および、第四通孔１２５を有する。第三溝１２４の少なくとも一部は高音域アンプ３０の周りに広がり、且つ、第四通孔１２５と接続される。高音域補助経路３１は、第三溝１２４、および、第四通孔１２５に沿って延伸するとともに、第一層構造１１を離れる。一実施態様において、第三溝１２４の少なくとも一部は、低音域アンプ２０を包囲する。
【００３７】
図４Ａおよび図４Ｂを参照すると、この実施態様において、第三通孔１２３は、第四通孔１２５に隣接する。第二通孔１２１は、低音域アンプ２０、および、高音域アンプ３０間に位置する。低音域アンプ２０は、第二通孔１２１、および、第三通孔１２３間に位置する。つまり、櫛状部１２２Ａ、第二通孔１２１、第三通孔１２３、および、第四通孔１２５は、低音域アンプ２０の周辺に設置される。
【００３８】
本発明の実施態様によるクロスフィードアンプを有するヘッドフォンを用いることにより、ユーザーの左耳と右耳の両方が、右サウンドチャネル、および、左サウンドチャネルの音声を聞くことができる。第一溝、第二溝、および、第三通孔の経路長、および形状の設計により、音声伝達の時間差を調整することができる。このほか、通気口、および、第一溝の設計により、周波数を調整することができる。
【００３９】
一実施態様において、低音域アンプ２０、および、高音域アンプ３０が高音量であるとき、クロスフィードアンプ４０は低音量である。低音域アンプ２０および高音域アンプ３０が低音量であるとき、クロスフィードアンプ４０は高音量である。よって、ステレオ音響が提供される。
【００４０】
図１Ａを参照すると、一実施態様において、ヘッドフォンは、さらに、出口１５を有する。出口１５は、ハウジング１０一側に形成されるとともに、外気と通じる。
【００４１】
図５Ａ、および、図５Ｂは、本発明のもう一つの実施態様によるヘッドフォンを示す図で、クロスフィード音響経路４１は、第二層構造１２、および、外蓋構造１３間で延伸するとともに、第二層構造１２、および、第一層構造１１を経て、音響出力側１９まで貫通する。第二層構造１２は、開口部１１１、第二溝１１２’、および、第一通孔１１３を有する。開口部１１１は、クロスフィードアンプ４０に対応する。第二溝１２２’は、開口部１１１、および、第一通孔１１３と連通する。クロスフィード音響経路４１は、開口部１１１、第二溝１１２’、および、第一通孔１１３に沿って延伸して、第二層構造１２を離れる。外蓋構造１３は、音室１３１’を有する。音室１３１’は、開口部１１１、および、第二溝１１２’と接続される。クロスフィード音響経路４１は、開口部１１１、音室１３１’、第二溝１１２’、および、第一通孔１１３に沿って延伸して、第二層構造１２を離れる。音室１３１’が用いられて、周波数特性を修正する。
【００４２】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００４３】
１  ヘッドフォン
１０  ハウジング
１１  第一層構造
１１１  開口部
１１２  凸出部
１１２’  第二溝
１１３  第一通孔
１１４  排出口
１１５  第一容置空間
１１６  第三容置空間
１１７  第二容置空間
１２  第二層構造
１２１  第二通孔
１２２  第一溝
１２２Ａ  櫛状部
１２３  第三通孔
１２４  第三溝
１２５  第四通孔
１３  外蓋構造
１３１  第二溝
１３１’  音室
１５  出口
１９  音響出力側
２０  低音域アンプ
２０１  第一アンプ表面
２０２  第二アンプ表面
２１  低音域補助経路
２２  低音域主要経路
３０  高音域アンプ
３１  高音域補助経路
３２  高音域主要経路
４０  クロスフィードアンプ
４１  クロスフィード音響経路
【図１Ａ】
0006312785.tif 000002
【図１Ｂ】
0006312785.tif 000003
【図２Ａ】
0006312785.tif 000004
【図２Ｂ】
0006312785.tif 000005
【図３Ａ】
0006312785.tif 000006
【図３Ｂ】
0006312785.tif 000007
【図３Ｃ】
0006312785.tif 000008
【図４Ａ】
0006312785.tif 000009
【図４Ｂ】
0006312785.tif 000010
【図５Ａ】
0006312785.tif 000011
【図５Ｂ】
0006312785.tif 000012